(57)【要約】【課題】より多くの蚊を捕獲することができる誘引捕獲装置を提供すること。【解決手段】蚊の誘引捕獲装置（１０；１０Ａ）は、ケース（５０）と、このケース（５０）内に収納された光触媒（１１１）に紫外線を照射可能な紫外線照射部（８０）と、ケース（５０）の一端部（５０ｄ）から外気を吸引する吸引部（７０）と、ケース（５０）の他端部（５０ｃ）に臨み吸引部（７０）によって外気と共に吸引された蚊（Ｍ）を回収可能な回収部（４０）と、により構成される。ケース（５０）には、ケース（５０）の一端部（５０ｄ）から紫外線照射部（８０）の近傍まで延び、ケース（５０）内への外気の流入を許容しつつ、ケース（５０）の一端部（５０ｄ）からの紫外線の漏れを抑制する遮光板（１００）が取り付けられている。【選択図】図２
2015181427.tif 000002
【特許請求の範囲】
【請求項１】
ケースと、このケース内に収納された光触媒に紫外線を照射可能な紫外線照射部と、前記ケースの一端部から外気を吸引する吸引部と、前記ケースの他端部に臨み前記吸引部によって前記外気と共に吸引された蚊を回収可能な回収部と、により構成される蚊の誘引捕獲装置であって、
前記ケースには、前記ケースの一端部から前記紫外線照射部の近傍まで延び、前記ケース内への前記外気の流入を許容しつつ、前記ケースの一端部からの前記紫外線の漏れを抑制する遮光板が取り付けられていることを特徴とする蚊の誘引捕獲装置。
【請求項２】
前記遮光板のなかの、前記外気の流入を許容している部位は、少なくとも一部が、前記ケース内に向かって下がり勾配に形成されるテーパ部によって構成されていることを特徴とする請求項１記載の蚊の誘引捕獲装置。
【発明の詳細な説明】
【技術分野】
【０００１】
本発明は、ケース近傍に誘引した蚊を、ケース内に吸引して捕獲する蚊の誘引捕獲装置に関する。
【背景技術】
【０００２】
蚊の捕獲装置として、ケース近傍に蚊を誘引し、ケース内に吸引して捕獲する、蚊の誘引捕獲装置が知られている。従来技術として特許文献１に開示される技術がある。
【０００３】
特許文献１に示されるような、蚊の誘引捕獲装置は、光触媒としての二酸化チタンと、この二酸化チタンに紫外線を照射可能な紫外線照射部と、ケースの一端部から外気を吸引するファンと、ケースの他端部に臨みファンによってケース内に吸引された蚊を回収可能な回収ネットと、を有している。
【０００４】
蚊の誘引捕獲装置は、二酸化チタンに紫外線を照射すると共に、ファンを作動させることにより使用する。紫外線を二酸化チタンに照射すると、活性酸素が発生する。この活性酸素によって、室内や車内に不可避的に存在する揮発性有機化合物は、二酸化炭素や水に酸化分解される。蚊は、二酸化炭素や水に寄ってくる習性を有する。即ち、二酸化炭素や水によって蚊はケース近傍に誘引される。ケース近傍に誘引された蚊は、ファンによってケース内に吸引され、回収ネットによって回収される。
【０００５】
しかし、蚊の種類によっては、紫外線を感知するとケースから遠ざかる習性を有するものも存在する。例えば、ケース外に紫外線が漏れていると、この紫外線によって蚊の捕獲が困難になる。より多くの蚊を捕獲することができる誘引捕獲装置が望まれる。
【先行技術文献】
【特許文献】
【０００６】
【特許文献１】特開２００９−９５２５７号公報
【発明の概要】
【発明が解決しようとする課題】
【０００７】
本発明は、より多くの蚊を捕獲することができる誘引捕獲装置の提供を課題とする。
【課題を解決するための手段】
【０００８】
請求項１による発明によれば、ケースと、このケース内に収納された光触媒に紫外線を照射可能な紫外線照射部と、前記ケースの一端部から外気を吸引する吸引部と、前記ケースの他端部に臨み前記吸引部によって前記外気と共に吸引された蚊を回収可能な回収部と、により構成される蚊の誘引捕獲装置であって、
前記ケースには、前記ケースの一端部から前記紫外線照射部の近傍まで延び、前記ケース内への前記外気の流入を許容しつつ、前記ケースの一端部からの前記紫外線の漏れを抑制する遮光板が取り付けられていることを特徴とする蚊の誘引捕獲装置が提供される。
【０００９】
請求項２に記載のごとく、好ましくは、前記遮光板のなかの、前記外気の流入を許容している部位は、少なくとも一部が、前記ケース内に向かって下がり勾配に形成されるテーパ部によって構成されている。
【発明の効果】
【００１０】
請求項１に係る発明では、ケースには、ケースの一端部から紫外線照射部の近傍まで延び、ケースの一端部からの紫外線の漏れを抑制する遮光板が取り付けられている。遮光板によって、ケース外部への紫外線の漏れが抑制される。蚊の種類によっては、紫外線を感知するとケースから遠ざかる習性を有するものが存在する。ケース外部への紫外線の漏れを抑制することにより、このような習性を有する蚊も誘引することができる。これにより、より多くの蚊を捕獲することができる。
【００１１】
請求項２に係る発明では、遮光板のなかの、外気の流入を許容している部位は、少なくとも一部が、ケース内に向かって下がり勾配に形成されるテーパ部によって構成されている。遮光板の一部を下がり勾配とすることにより、蚊の誘引捕獲装置を大型化することなく、蚊を吸引可能な部位を広くすることができる。これにより、より多くの蚊を捕獲することができる。
【図面の簡単な説明】
【００１２】
【図１】本発明の実施例１による蚊の誘引捕獲装置の斜視図である。
【図２】図１に示された蚊の誘引捕獲装置を側方から見た状態の断面図である。
【図３】図２に示された蚊の誘引捕獲装置の分解図である。
【図４】図２の４部を拡大した図である。
【図５】図２に示されたルーバーについて説明する図である。
【図６】図２に示された蚊の誘引捕獲装置の作用について説明する図である。
【図７】図２に示された回収部について説明する図である。
【図８】本発明の実施例２による蚊の誘引捕獲装置の要部が示された断面図である。
【発明を実施するための形態】
【００１３】
本発明の実施の形態を添付図に基づいて以下に説明する。
＜実施例１＞
【００１４】
図１には、本発明による蚊の誘引捕獲装置１０（以下、単に「捕獲装置１０」とする。）が示されている。捕獲装置１０は、例えば、車両に搭載され、車室１１内の蚊を捕獲するのに用いられる。
【００１５】
捕獲装置１０は、バッテリボックス２０に収納されているバッテリによって作動され、ケース５０の近傍に蚊を誘引すると共に、誘引された蚊をケース５０の上部からケース５０内に吸引し、吸引された蚊を回収部４０によって回収する装置である。
【００１６】
バッテリボックス２０に収納されているバッテリは、車室１１内に設けられているシガーソケット差込口１２（雌側）に、シガーソケット２１（雄側）を差し込むことにより充電される。
【００１７】
なお、捕獲装置１０は、電源コード２２をバッテリボックス２０から外すことにより、車外も含めて任意の場所に運び、使用することができる。例えば、コード２２を変更することにより、家屋内の差込口を用いて充電を行うことができる。また、捕獲装置１０の使用状況に応じて、バッテリボックス２０内にコンバータを内蔵することもできる。さらには、振動により発生するエネルギを電気エネルギに変換するリニア振動発電機をバッテリボックス２０内に内蔵してもよい。この場合には、車両１０の走行中の振動によって、充電を行うことができる。さらに、減速時における運動エネルギを電気エネルギに変換して回収し、この電気エネルギを充電してもよい。この場合には、車両の走行中に不可避的に発生する減速によって、バッテリを充電することができ、望ましい。図２及び図３において、捕獲装置１０を詳細に説明する。
【００１８】
図２及び図３に示されるように、捕獲装置１０は、バッテリが収納されているバッテリボックス２０と、このバッテリボックス２０の上方に固定されている基台３０と、この基台３０の下部に対してスライド可能に取り付けられ蚊を回収可能な回収部４０と、基台３０の上部に固定されている円筒状のケース５０と、このケース５０によって支持されているシロッコファン７０（吸引部７０）と、このシロッコファン７０の羽７４ａの上方に配置されケース５０の内部において紫外線を照射可能な紫外線照射部８０と、ケース５０の上端部５０ｄ（一端部５０ｄ）を閉じているリング状の上蓋９０と、この上蓋９０の内周からシロッコファン７０の羽７４ａの上方まで延び上端部５０ｄ側への紫外線の漏れを抑制する遮光板１００と、ケース５０の側面部５０ａに形成されている開口部５０ｂに固定されているルーバー１２０とからなる。
【００１９】
基台３０は、バッテリボックス２０の上面２０ａから立ち上げられ平面視において略Ｕ字状に形成されている脚部３１と、この脚部３１の上部に一体的に形成されバッテリボックス２０の上面２０ａに平行に延びる基台蓋部３２と、脚部３１の上端から一体的に上方に延び基台蓋部３２よりも上方に突出している突出部３３とからなる。
【００２０】
基台蓋部３２には、基台３０の内部をケース５０の内部に連通させる連通孔３２ａが開けられている。ケース５０は、突出部３３に当接することにより、位置決めされている。
【００２１】
回収部４０は、上方に向かって開口するトレー状の本体部４１と、この本体部４１に一体的に形成され操作者が掴むことのできる把手４２と、本体部４１の底面４１ａ上に配置され粘着性を有する粘着シート４３とからなる。
【００２２】
回収部４０が配置される位置は、基台３０の連通孔３２ａに対して、上下方向に略一致している。本体部４１の把手４２が形成されている側の壁部４１ｂは、基台蓋部３２よりも上方まで突出している。回収部４０は、バッテリボックス２０の上面２０ａ上をスライド可能である。回収部４０の閉じ状態において、壁部４１ｂは、ケース５０及び基台蓋部３２に当接している。即ち、壁部４１ｂが基台蓋部３２よりも上方まで突出されることにより、回収部４０の閉じ方向への変位が規制されている。さらに言い替えれば、基台蓋部３２は、回収部４０のストッパの役割を果たす。
【００２３】
粘着シート４３は、回収した蚊が飛ばされない程度に粘着性を有し、複数枚の薄いシートが重ねられてなる。
【００２４】
ケース５０は、筒状を呈し、鋳造や射出成形によって製造することができる。ケース５０には、複数のボス５１，５２，５３が一体的に形成されている。加えて、ケース５０の側面部５０ａには、シロッコファン７０によって吸引された外気を外部に排出するための開口部５０ｂが形成されている。
【００２５】
ボス５１，５２，５３は、ケース５０の側面部５０ａから、ケース５０の軸線ＣＬ１に向かって膨出するようにして形成されている。ボス５１，５２，５３には、それぞれボルト６１，６２，６３が螺合されている。
【００２６】
これらのボス５１，５２，５３は、ケース５０の下端部５０ｃ（他端部５０ｃ）の近傍に形成されシロッコファン７０を固定するための下部ボス５１と、ケース５０の上端部５０ｄに形成され上蓋９０を固定するための上部ボス５２と、ケース５０の内部に形成され紫外線照射部８０を固定するための中部ボス５３と、からなる。
【００２７】
シロッコファン７０は、ボルト６１によって下部ボス５１に固定されている支持部７１と、この支持部７１に固定されているモータ７２と、このモータ７２のモータ軸７２ａに取り付けられている軸受７３と、この軸受７３を介してモータ７２に支持されているファン本体部７４と、このファン本体部７４の上部に固定され外部に臨むキャップ７５とからなる。
【００２８】
支持部７１は、上方に突出するハット形状を呈する。支持部７１の鍔部７１ａには、ボルト６１が挿通されるボルト孔７１ｂと、ファン本体部７４の下方に形成され回収された蚊を下方に落下させるための蚊落下孔７１ｃとが形成されている。支持部７１の頂部７１ｄには、モータ軸７２ａを挿通するためのモータ軸孔７１ｅが形成されている。
【００２９】
ファン本体部７４は、軸受７３の上部にボルト６４によって固定されている。ファン本体部７４は、モータ７２によって回転可能に設けられている。ファン本体部７４の周縁には、外気をケース５０内部に吸引すると共に、吸引された外気をケース５０外部に排出するための、複数の羽７４ａが固定されている。ファン本体部７４が回転すると、遮光板１００の上方から外気を取り込む。取り込まれた外気は、ルーバー１２０から外部に向かって排出される。
【００３０】
シロッコファン７０の作動時には、モータ軸７２ａ、軸受７３、ファン本体部７４、ボルト６４、及びキャップ７５が一体的に回転する。一方、支持部７１及びモータ７２は、回転しない。キャップ７５の上部は、略半球形状を呈する。キャップ７５は、外気をケース５０内に円滑に流入させるための整流部材である。
【００３１】
紫外線照射部８０は、リング状を呈し中部ボス５３に固定されている基板８１と、この基板８１の下面部８１ａに固定され紫外線を照射可能な光源８２と、これらの光源８２を連続的に覆いリング状に形成されているカバー８３とからなる。紫外線を発生する光源８２には、ＬＥＤが用いられている。
【００３２】
なお、紫外線照射部８０には、ＬＥＤの他にも、蛍光灯やバルブ等任意の光源を採用することができる。また、１つの紫外線照射部を２種類以上の光源によって構成することもできる。
【００３３】
上蓋９０は、リング状を呈し、ケース５０の上端部５０ｄにボルト６２によって固定されている。上蓋９０は、ケース５０の軸線ＣＬ１に対して略垂直に向けて配置されている。上蓋９０の内周側の縁部９０ａは、下部が内周側に突出する階段状に形成されている。
【００３４】
遮光板１００は、上蓋９０から連続的に延びる水平部１０１と、この水平部１０１の内周側の端部からケース５０の軸線ＣＬ１に向かって下がり勾配に形成されているテーパ部１０２と、このテーパ部１０２の下端から連続して垂下される縦壁部１０３とからなる。
【００３５】
水平部１０１は、ケース５０の軸線ＣＬ１に対して略垂直に延びる。水平部１０１の外周側の縁部１０１ａは、上部が外周側に突出する階段状に形成されている。水平部１０１の外周側の縁部１０１ａは、上蓋９０の内周側の縁部９０ａの上部に載せられている。
【００３６】
テーパ部１０２は、ケース５０の軸線ＣＬ１を基準として、軸線ＣＬ１に沿う方向において、光源８２に重なっている。即ち、光源８２の上方にテーパ部１０２が形成されている。縦壁部１０３は、紫外線照射部８０の基板８１の内周を通過し、シロッコファン７０の羽７４ａの上方まで延びている。縦壁部１０３は、光源８２よりも上方から光源８２よりも下方まで延びている。
【００３７】
図４に示されるように、縦壁部１０３の外周面１０３ａには、二酸化チタン１１１（TiO2、光触媒１１１）が塗布されている。図２も合わせて参照し、二酸化チタン１１１は、縦壁部１０３の外周面１０３ａの他にも、ケース５０の内周面やシロッコファン７０の各部位にも塗布されている。即ち、ケース５０内部の紫外線が照射される部位には、二酸化チタン１１１が塗布されている。
【００３８】
図５には、ルーバー１２０の構成の一例が示されている。図５（ａ）には、ルーバー１２０が分解された状態の斜視図によって示されている。図５（ｂ）には、ルーバー１２０の斜視図が示されている。
【００３９】
図５（ａ）に示されるように、ルーバー１２０は、複数の略矩形の縦板１２１と、複数の略矩形の横板１２２とからなる。縦板１２１及び横板１２２のそれぞれには、複数のスリット１２１ａ，１２２ａが形成されている。縦板１２１に形成されている縦スリット１２１ａの数は、横板１２２の数と同じである。横板１２２に形成されている横スリット１２２ａの数は、縦板１２１の数と同じである。スリット１２１ａ，１２２ａの深さは、それぞれの板１２１，１２２の略半分とされている。これらのスリット１２１ａ，１２２ａ同士を嵌め合わせた上で、互いを押し込む。これにより、図５（ｂ）に示されるように、立体格子状のルーバー１２０が形成される。
【００４０】
なお、ルーバー１２０は、このような構成の他に、鋳造品や射出成形品などを採用することもできる。即ち、ルーバー１２０は、立体格子状に形成されていればよく、これらの構成に限られない。
【００４１】
図２に戻り、支持部７１、モータ７２、軸受７３、ファン本体部７４、ボルト６４、キャップ７５、紫外線照射部８０、上蓋９０、及び遮光板１００の軸線は、ケース５０の軸線ＣＬ１に一致している。即ち、ケース５０の軸線ＣＬ１は、支持部７１、モータ７２、軸受７３、ファン本体部７４、ボルト６４、キャップ７５、紫外線照射部８０、上蓋９０、及び遮光板１００のそれぞれの軸線ということもできる。
【００４２】
捕獲装置１０は、２つの方法により、蚊を誘引することができる。即ち、蚊の誘引部を２つ有する。第１の誘引部Ｐｈ１（誘引部Ｐｈ１）は、紫外線照射部８０と、この紫外線照射部８０により紫外線が照射される二酸化チタン（図４、符号１１１）とによって構成される。第２の誘引部Ｐｈ２（誘引部Ｐｈ２）は、紫外線照射部８０と、この紫外線照射部８０の基板８１の上面に固定されているアルミニウム製の伝熱部材１１２と、この伝熱部材１１２の上端に接触している上蓋９０とによって構成される。
【００４３】
紫外線照射部８０は、第１及び第２の誘引部Ｐｈ１，Ｐｈ２のそれぞれを構成する部材である。これらの誘引部Ｐｈ１，Ｐｈ２の作用については、図６において詳細に説明する。
【００４４】
図６には、作動している状態の捕獲装置１０が示されている。捕獲装置１０を作動させると、まず、矢印（１）によって示されるように、モータ７２のモータ軸７２ａが回転すると共に、紫外線照射部８０の光源８２が点灯する。
【００４５】
モータ軸７２ａが回転すると、ファン本体部７４も回転する。矢印（２）によって示されるように、遮光板１００の上方から外気がケース５０内に吸引される。吸引された外気は、矢印（３）によって示されるように、ルーバー１２０からケース５０の外部へ排出される。
【００４６】
ケース５０内部のなかの紫外線が照射される部位には、二酸化チタン（図４、符号１１１）が塗布されている。光源８２が点灯されることにより、これらの部位には、紫外線が照射される。紫外線を二酸化チタンに照射すると、活性酸素が発生する。この活性酸素によって、車内に不可避的に存在する揮発性有機化合物は、二酸化炭素や水に酸化分解される。吸引された外気と共に、二酸化炭素や水は、ケース５０の外部に排出される。蚊は、二酸化炭素や水に寄ってくる習性を有する。ケース５０の近傍に存在する二酸化炭素や水によって、蚊は、ケース５０近傍に誘引される。これは、第１の誘引部Ｐｈ１による誘引ということができる。
【００４７】
さらに、光源８２が点灯されることにより、光源８２は、僅かに熱を発する。この熱は、基板８１、伝熱部材１１２を伝わり、上蓋９０に伝達される。熱は、上蓋９０から大気中に放出される。蚊は、熱にも寄ってくる習性を有する。即ち、上蓋９０の有する熱によって、蚊は、ケース５０近傍に誘引される。このため、紫外線照射部８０には、より高温を発する光源としてバルブを適宜組み合わせることが好ましい。これは、第２の誘引部Ｐｈ２による誘引ということができる。
【００４８】
ケース５０近傍に誘引された蚊は、外気と共にケース５０内に吸引される。ケース５０内に吸引された蚊は、回転している羽７４ａによって切断され、下方に落下する。落下した蚊は、矢印（４）によって示されるように、蚊落下孔７１ｃから回収部４０に落下する。落下した蚊は、回収部４０によって回収される。このような捕獲装置１０によれば、以下の効果を得ることができる。
【００４９】
ケース５０には、ケース５０の上端部５０ｄから紫外線照射部８０の近傍まで延び、ケース５０の上端部５０ｄからの紫外線の漏れを抑制する遮光板１００が取り付けられている。遮光板１００によって、ケース５０外部への紫外線の漏れが抑制される。
【００５０】
さらに、開口部５０ｂには、ケース５０の内部に向かって延びる格子状のルーバー１２０が取り付けられている。ケース５０の内部に向かって延びるルーバー１２０によって、吸引された外気の通過を許容しつつ、ケース５０外部への紫外線の漏れを抑制することができる。
【００５１】
蚊の種類によっては、紫外線を感知するとケース５０から遠ざかる習性を有するものが存在する。ケース５０外部への紫外線の漏れを抑制することにより、このような習性を有する蚊も誘引することができる。これにより、より多くの蚊を捕獲することができる。
【００５２】
遮光板１００のなかの、外気の流入を許容している部位は、少なくとも一部が、ケース５０内に向かって下がり勾配に形成されるテーパ部１０２によって構成されている。遮光板１００の一部を下がり勾配とすることにより、捕獲装置１０を大型化することなく、蚊を吸引可能な部位を広くすることができる。これにより、より多くの蚊を捕獲することができる。
【００５３】
特に、テーパ部１０２は、光源８２に重なっており、且つ、縦壁部１０３は、光源８２よりも上方から光源８２よりも下方まで延びている。これにより、蚊を吸引可能な部位を特に広く確保することができると共に、より確実にケース５０外部への紫外線の漏れを防止することができる。
【００５４】
図７に示されるように、蚊Ｍを回収可能な回収部４０は、ケース５０に対して、スライド可能に取り付けられている。蚊の捕獲装置１０の使用開始から所定時間経過後に、回収部４０をスライドさせる。これにより、回収部４０に回収された蚊Ｍを廃棄することができる。回収部４０を清潔に保つことができ、望ましい。
【００５５】
さらに、回収部４０は、本体部４１の底面４１ａ上に粘着シート４３が配置されている。このため、粘着シート４３を剥がすのみで回収した蚊Ｍを廃棄することができる。さらには、粘着シート４３は、複数枚の薄いシートが重ねられてなる。このため、粘着シート４３を一度配置することにより、粘着シート４３の張り替えを行うことなく、複数回の蚊Ｍの廃棄作業を行うことができる。
＜実施例２＞
【００５６】
次に、本発明の実施例２を図面に基づいて説明する。図８には、実施例２による捕獲装置の要部が断面によって示されている。実施例２による捕獲装置１０Ａは、実施例１による捕獲装置（図２、符号１０）に対して、ルーバー１２０Ａの向けられている方向が異なる。その他については、実施例１による捕獲装置と同様であり、詳細な説明は省略する。さらに、実施例１と同様の構成要素については、符号を流用する。
【００５７】
図８に示されるように、ケース５０の軸線ＣＬ１に対する垂直な軸ＣＬ２を基準として、ルーバー１２０Ａは、先端がケース５０の上端部（図２、符号５０ｄ）側に向けて傾けて配置されている。即ち、ルーバー１２０Ａは、先端が外気及び蚊の吸い込み口が形成される部位の近傍に向けて配置されている。このようなルーバー１２０Ａを用いた場合にも、本発明所定の効果を得ることができる。
【００５８】
ケース５０内部において発生させた二酸化炭素及び水を、上端部に向けて吹き出すことができる。これにより、上端部の近傍に多くの蚊を誘引することができる。上端部側から外気及び蚊が吸い込まれるため、吸い込み口の近傍に多くの蚊を誘引することにより、より多くの蚊を捕獲することができる。
【００５９】
さらに、ルーバー１２０Ａは、紫外線照射部８０よりも下方に配置されていると共に、ケース５０の軸線ＣＬ１に対する垂直な軸ＣＬ２を基準として、先端がケース５０の上端部側に向けて傾けて配置されている。ケース５０の外部へ紫外線が漏れることが、ルーバー１２０Ａによってさらに抑制される。
【００６０】
尚、本発明による捕獲装置は、車両に搭載された場合を例に説明したが、家屋や屋外など、任意の場所において使用することができる。この場合において、コードの先端部は、家庭用コンセントに合わせる等、適宜変更を行うことができる。
【００６１】
さらに、本発明による捕獲装置は、吸引部にシロッコファンを採用した例を元に説明を行った。しかし、吸引部には、シロッコファン以外のファンや、ブロア等、任意の送風機を採用することができる。
【産業上の利用可能性】
【００６２】
本発明による捕獲装置は、車室内の蚊を捕獲するのに好適である。
【符号の説明】
【００６３】
１０，１０Ａ…蚊の誘引捕獲装置
４０…回収部
５０…ケース
５０ｃ…下端部（他端部）
５０ｄ…上端部（一端部）
７０…シロッコファン（吸引部）
８０…紫外線照射部
１００…遮光板
１０２…テーパ部
１１１…二酸化チタン（光触媒）
Ｍ…蚊
【図１】
2015181427.tif 000003
【図２】
2015181427.tif 000004
【図３】
2015181427.tif 000005
【図４】
2015181427.tif 000006
【図５】
2015181427.tif 000007
【図６】
2015181427.tif 000008
【図７】
2015181427.tif 000009
【図８】
2015181427.tif 000010